(57)【要約】【課題】安定した固定、および、額縁の小型化を実現できる、固定機構および当該固定機構を備えた光学機器、並びに、固定方法を提供する。【解決手段】板状部材２と、板状部材２の裏面側に配置される内部フレーム５と、板状部材２の外周部の少なくとも一部および内部フレーム５の少なくとも一部を覆うように設けられる外部フレーム１０と、を固定するための固定機構であって、外部フレーム１０と連結することにより、板状部材２、内部フレーム５および外部フレーム１０を、一体となるように固定化するための固定部材１を備え、固定部材１は、内部フレーム５の裏面側において、内部フレーム５に固定され、弾性を備えた固定部材１は、外部フレーム１０に対して内部フレーム５の裏面側へ向かう力を付与したまま、外部フレーム１０を固定化する。【選択図】図１
2011112790.tif 000002
【特許請求の範囲】
【請求項１】
板状部材と、上記板状部材の裏面側に配置される内部フレームと、上記板状部材の外周部の少なくとも一部および内部フレームの少なくとも一部を覆うように設けられる外部フレームと、を固定するための固定機構であって、
上記外部フレームと連結することにより、上記板状部材、上記内部フレームおよび上記外部フレームを、一体となるように固定化するための固定手段を備え、
上記固定手段は、上記板状部材が配置される側とは反対側である上記内部フレームの裏面側において、上記内部フレームに固定されるものであり、
上記固定手段は、弾性を備えており、上記外部フレームに対して上記内部フレームの裏面側へ向かう力を付与したまま、上記外部フレームを固定化するものであることを特徴とする固定機構。
【請求項２】
上記固定手段は、上記固定手段に対して弾性力を付与する弾性部と、上記内部フレームの裏面に対して固定される固定部と、上記外部フレームに対して係止される係止部と、を備えているものであることを特徴とする請求項１に記載の固定機構。
【請求項３】
上記係止部は、突起状部材であり、
上記外部フレームは、上記突起状部材を挿入するための孔を備えていることを特徴とする請求項２に記載の固定機構。
【請求項４】
上記係止部は、孔を備えており
上記外部フレームは、上記孔に挿入するための突起状部材を備えていることを特徴とする請求項２に記載の固定機構。
【請求項５】
上記弾性部は、板状のバネ部材または線状のバネ部材であることを特徴とする請求項２〜４の何れか１項に記載の固定機構。
【請求項６】
上記弾性部は、板状または線状の第１領域と、上記第１領域に連結した板状または線状の第２領域とを含むとともに、上記内部フレームの裏面側に配置されるものであり、
上記第１領域は、上記固定手段が上記内部フレームの裏面側に固定されたときに、上記内部フレームの裏面に沿って配置されるものであり、
上記第２領域は、上記固定手段が上記内部フレームの裏面側に固定されたときに、上記内部フレームの裏面から離れる方向に向かって折れ曲がるように、上記第１領域に対して連結されたものであることを特徴とする請求項２〜５の何れか１項に記載の固定機構。
【請求項７】
上記弾性部は、複数の線状の部材が、折れ曲がるように互いに連結されたものであるとともに、上記外部フレームの側面に配置されるものであり、
上記係止部は、上記外部フレームの側面において外部フレームに係止するものであることを特徴とする請求項２〜５の何れか１項に記載の固定機構。
【請求項８】
上記弾性部は、上記内部フレームの裏面側から、上記内部フレームの表面側へ達するように配置される板状部材であり、
上記係止部は、上記内部フレームの表面側にて外部フレームに係止するものであることを特徴とする請求項１〜５の何れか１項に記載の固定機構。
【請求項９】
上記板状部材は、光学パネルであることを特徴とする請求項１〜８の何れか１項に記載の固定機構。
【請求項１０】
請求項９に記載の固定機構を備えていることを特徴とする光学機器。
【発明の詳細な説明】
【技術分野】
【０００１】
本発明は、所望の構成を固定するための固定機構および当該固定機構を備えた光学機器、並びに、固定方法に関する。
【背景技術】
【０００２】
光学部材などの固定機構として、従来から様々な構成が用いられている。
【０００３】
例えば、特許文献１には、光学部材をベースブラケット上の所定の位置に固定するために、位置決め部材を備えたベースブラケットを用いるとともに、当該位置決め部材には、係止部材を挿入するための係止孔が設けられている固定機構が記載されている。具体的には、この固定機構は、固定する板状の光学部材の辺に沿って直立するように、位置決め部材がベーク部材に設けられている。そして、上記位置決め部材には係止孔が設けられており、当該係止孔に係止部材を挿入し、固定することによって、係止部材とベースブラケットとの間に光学部材が固定される。上記位置決め部材は、係止部材を固定するためにある程度の幅が必要であるので額縁を広く設ける必要がある。
【０００４】
また、特許文献２には、表示パネルをプリント回路基板上の所定の位置に固定するために、上記表示パネルの外側領域を覆うように固定化されるパネル押さえを用いる固定装置が記載されている。具体的には、この固定装置は、上記パネル押さえの側面に設けられた穴の中に係止爪を挿入することによって、表示パネルをプリント回路基板上の所定の位置に固定している。
【０００５】
また、特許文献３には、バックライトアセンブリが外部ケースに対して固定化されたバックライトアセンブリが記載されている。具体的には、上記バックライトアセンブリには側面に孔が設けられ、当該孔にスクリューを挿入することによって、バックライトアセンブリが外部ケースに対して固定化される。
【先行技術文献】
【特許文献】
【０００６】
【特許文献１】特開平１０−３１２１６１号公報（１９９８年１１月２４日公開）
【特許文献２】実開平５−３８６２９号公報（１９９３年５月２５日公開）
【特許文献３】特開２００３−３４６５３６号公報（２００３年１２月５日公開）
【発明の概要】
【発明が解決しようとする課題】
【０００７】
しかしながら、上述のような従来技術は、光学部材などに代表される固定対象を安定に固定化することができず、また当該固定対象の周囲へはみ出すように形成される額縁を小さくすることができないという問題点を有している。
【０００８】
具体的には、上述した特許文献１に記載の技術では、位置決め部材に厚さが必要となり、その結果、光学部材の周囲を囲む額縁を小さくすることができないという問題点を有している。
【０００９】
また、上述した特許文献２に記載の技術は、パネル保持枠内に組み込まれた表示パネルを固定している嵌合部を強固な構造とすることが出来ないので、輸送または使用中の衝撃により嵌合が容易に外れるという問題点を有している。
【００１０】
また、上述した特許文献３に記載の技術は、上記スクリューはバックライトアセンブリの側面に設けられた孔の中へ挿入されるので、当該スクリューがバックライトアセンブリの内部構造等を傷つけることを防ぐために、上記バックライトアセンブリの周囲を囲む額縁を広く構成する必要がある。上記スクリューはバックライトアセンブリの側面に設けられた孔の中へ挿入されるので、バックライトアセンブリを固定化する力を均一化および大きくすることができないという問題点を有している。
【００１１】
本発明は、上記従来の問題点に鑑みなされたものであって、その目的は、固定対象を安定に固定化できるとともに、当該固定対象の周囲へはみ出すように形成される額縁を小さくすることができる固定機構および当該固定機構を備えた光学機器、並びに、固定方法を提供することにある。
【課題を解決するための手段】
【００１２】
本発明の固定機構は、上記課題を解決するために、板状部材と、上記板状部材の裏面側に配置される内部フレームと、上記板状部材の外周部の少なくとも一部および内部フレームの少なくとも一部を覆うように設けられる外部フレームと、を固定するための固定機構であって、上記外部フレームと連結することにより、上記板状部材、上記内部フレームおよび上記外部フレームを、一体となるように固定化するための固定手段を備え、上記固定手段は、上記板状部材が配置される側とは反対側である上記内部フレームの裏面側において、上記内部フレームに固定されるものであり、上記固定手段は、弾性を備えており、上記外部フレームに対して上記内部フレームの裏面側へ向かう力を付与したまま、上記外部フレームを固定化するものであることを特徴としている。
【００１３】
上記構成によれば、固定手段は、上記内部フレームの裏面側とは反対側である内部フレームの表面側（板状部材が設けられる側）には固定されないので、当該表面側に固定手段を設けるためのスペースを確保する必要がない。その結果、上記板状部材の周りを取り囲む領域である額縁を小さくすることができる。換言すれば、上記構成によれば、内部フレーム内の空間の横方向への広がり（内部フレーム内の、上記表面および裏面と平行な面の面積）を大きくすることができるので、内部フレーム内に様々な構成を配置しようとした場合に、当該配置の自由度を上げることができる。
【００１４】
また、固定手段は、上記内部フレームの側面側には設けられないので、固定手段を固定化するためのネジ等を側面側から挿入するためのスペースを、内部フレームの側面に確保する必要がない。その結果、上記板状部材の周りを取り囲む領域である額縁を小さくすることができる。換言すれば、上記構成によれば、内部フレーム内の空間の横方向への広がり（内部フレーム内の、上記表面および裏面と平行な面の面積）を大きくすることができるので、内部フレーム内に様々な構成を配置しようとした場合に、当該配置の自由度を上げることができる。
【００１５】
また、固定手段は、板状部材が配置される側とは反対側である内部フレームの裏面側に固定されるので、外部フレームに対して、内部フレームの表面側から裏面側に向かう力を効果的に付与することができる。その結果、板状部材の外周部を覆うように設けられた外部フレームが板状部材を押圧する力を効果的に生み出すことができるとともに、各構成を、安定に固定化することができる。
【００１６】
また、固定手段は弾性を備えているので、外部フレームが板状部材を押圧する力を更に大きくすることができるとともに、板状部材に対して必要以上に大きな力が加わることを防止することができる。
【００１７】
本発明の固定機構では、上記固定手段は、上記固定手段に対して弾性力を付与する弾性部と、上記内部フレームの裏面に対して固定される固定部と、上記外部フレームに対して係止される係止部と、を備えているものであることが好ましい。
【００１８】
上記構成によれば、固定手段は弾性部を備えているので、外部フレームに対して適度に大きな力を付与することができる。
【００１９】
また、固定手段は係止部を介して外部フレームに対して着脱可能に係止されるので、固定手段と外部フレームとの連結状態の開放化、および、連結状態への復帰を容易に行うことができる。その結果、本発明の固定機構を備えた各種機器の分解および組み立てを容易に行うことができるとともに、当該機器の生産および修理などを容易に行うことができる。
【００２０】
また、固定手段は固定部を介して内部フレームの裏面に固定されるので、固定手段と外部フレームとの連結状態を開放したときにも、固定手段と内部フレームとは一体化している。つまり、上記構成によれば、各構成が必要以上に分解されることを防ぐことができるので、その結果、本発明の固定機構を備えた各種機器の分解および組み立てを容易に行うことができるとともに、当該機器の生産および修理などを容易に行うことができる。
【００２１】
本発明の固定機構では、上記係止部は、突起状部材であり、上記外部フレームは、上記突起状部材を挿入するための孔を備えていることが好ましい。
【００２２】
上記構成によれば、簡単な構成にて、固定手段を外部フレームに対して係止させることができる。
【００２３】
本発明の固定機構では、上記係止部は、孔を備えており、上記外部フレームは、上記孔に挿入するための突起状部材を備えていることが好ましい。
【００２４】
上記構成によれば、簡単な構成にて、固定手段を外部フレームに対して係止させることができる。
【００２５】
本発明の固定機構では、上記弾性部は、板状のバネ部材または線状のバネ部材であることが好ましい。
【００２６】
上記構成によれば、簡単な構成にて、上記外部フレームに対して上記内部フレームの裏面側へ向かう力を付与することができる。
【００２７】
本発明の固定機構では、上記弾性部は、板状または線状の第１領域と、上記第１領域に連結した板状または線状の第２領域とを含むとともに、上記内部フレームの裏面側に配置されるものであり、上記第１領域は、上記固定手段が上記内部フレームの裏面側に固定されたときに、上記内部フレームの裏面に沿って配置されるものであり、上記第２領域は、上記固定手段が上記内部フレームの裏面側に固定されたときに、上記内部フレームの裏面から離れる方向に向かって折れ曲がるように、上記第１領域に対して連結されたものであることが好ましい。
【００２８】
上記構成によれば、第１領域および第２領域によって、弾性部の弾性を容易に高めることができる。
【００２９】
具体的には、第２領域に対して、内部フレームの裏面側から表面側へ向かう力（例えば、固定手段と外部フレームとを連結した時に、固定手段に対して加わる力）が加わった時に、第２領域は当該力に反発して、折れ曲がった状態を維持しようとする。そして、折れ曲がった状態を維持しようとする力を、弾性部の弾性として利用することができる。
【００３０】
本発明の固定機構では、上記弾性部は、複数の線状の部材が、折れ曲がるように互いに連結されたものであるとともに、上記外部フレームの側面に配置されるものであり、上記係止部は、上記外部フレームの側面において外部フレームに係止するものであることが好ましい。
【００３１】
上記構成によれば、複数の線状の部材によって、弾性部の弾性を容易に高めることができる。
【００３２】
具体的には、折れ曲がるように互いに連結された線状の部材に対して、内部フレームの裏面側から表面側へ向かう力（例えば、固定手段と外部フレームとを連結した時に、固定手段に対して加わる力）が加わった時に、互いに連結された線状の部材は当該力に反発して、折れ曲がった状態を維持しようとする。そして、折れ曲がった状態を維持しようとする力を、弾性部の弾性として利用することができる。
【００３３】
本発明の固定機構では、上記弾性部は、上記内部フレームの裏面側から、上記内部フレームの表面側へ達するように配置される板状部材であり、上記係止部は、上記内部フレームの表面側にて外部フレームに係止するものであることが好ましい。
【００３４】
上記構成によれば、内部フレームの表面の一部、内部フレームの側面、および内部フレームの裏面の一部を覆うように弾性部が設けられる。つまり、「コ」の字の形状の弾性部が用いられる。当該形状を有する弾性部であれば、内部フレームの表面側に設けられる外部フレームと、内部フレームの裏面との両方に接触しているので、外部フレームに対して内部フレームの裏面側へ向かう力を効果的に付与することができる。その結果、各構成を安定に固定することができる。
【００３５】
本発明の固定機構では、上記板状部材は、光学パネルであることが好ましい。
【００３６】
上記構成によれば、簡単な構成によって、安定に光学パネルを固定することができるとともに、額縁を小さくすることができる。
【００３７】
本発明の光学機器は、上記課題を解決するために、本発明の固定機構を備えていることを特徴としている。
【００３８】
上記構成によれば、光学機器の額縁を小さくすることができる。換言すれば、光学機器の表面において、光学パネルが表面に露出している部分の比率を上昇させることができる。
【００３９】
また、本発明の固定機構は、光学機器の内部構造に及ぼす影響が小さいので、光学機器内の様々な構成の配置の自由度を上げることができる。
【発明の効果】
【００４０】
本発明によれば、板状部材を含む各構成（特に、板状部材など）を安定に固定化することができるという効果を奏する。
【００４１】
また、額縁を小さくすることができるという効果を奏する。
【００４２】
また、内部フレームの内部空間を広く確保することができるとともに、内部空間に様々な構成を配置する場合に、当該配置の自由度を上げることができるという効果を奏する。
【００４３】
また、各構成を容易に固定化することができるとともに、固定化された各構成を容易に脱固定化することができるという効果を奏する。
【００４４】
また、製造工程で、各構成の固定化および脱固定化を必要とする各種機器の生産性を上昇させることができるという効果を奏する。
【００４５】
また、修理工程で、各構成の固定化および脱固定化を必要とする各種機器の修理を、迅速かつ容易なものにすることができるという効果を奏する。
【図面の簡単な説明】
【００４６】
【図１】本発明における固定機構の実施の一形態を示す模式図である。
【図２】本発明における固定機構の他の実施の形態を示す模式図である。
【図３】図２に示す固定機構を用いた固定方法を示す模式図である。
【図４】本発明における固定機構の他の実施の形態を示す模式図である。
【図５】図４に示す固定機構を用いた固定方法を示す模式図である。
【図６】本発明における固定機構の他の実施の形態を示す模式図である。
【図７】図６に示す固定機構を用いた固定方法を示す模式図である。
【図８】本発明における光学機器の実施の一形態を示す模式図である。
【発明を実施するための形態】
【００４７】
本発明の実施の一形態について図１〜図８に基づいて説明すると以下の通りであるが、本発明はこれに限定されるものではない。
【００４８】
〔１〕固定機構
図１〜図７に示すように、本実施の形態の固定機構は、固定部材１（固定手段）を用いて、板状部材２と、板状部材２の裏面側に配置される内部フレーム５と、板状部材２の外周部の少なくとも一部および内部フレーム５の少なくとも一部を覆うように設けられる外部フレーム１０と、を一体化して固定するためのものである。以下に各構成について説明する。
【００４９】
上記板状部材２の形状は板状であればよく、その詳細な形状は特に限定されない。例えば、円形状の板、四角形状の板などを用いることができるが、これらに限定されない。また、上記板状部材２の厚さも特に限定されず、適宜所望の厚さを有する板状部材２を用いることができる。
【００５０】
上記板状部材２の更に具体的な構成としては特に限定されないが、例えば、光学パネルであることが好ましい。上記光学パネルの更に好ましい構成としては、液晶パネル、プラズマパネル、ＥＬ（エレクトロルミネセンス）パネルなどを挙げることができるが、これらに限定されない。上記構成であれば、光学パネルが安定に固定化されるとともに、光学パネルが表面上に露出される面積比率が高い光学機器、換言すれば、額縁の小さい光学機器を作製することができる。なお、以下の実施の形態において「額縁」とは、各構成が一体化して固定されたときに、板状部材２の周囲へはみ出すように形成される領域が意図される。換言すれば、「額縁」とは、各構成が一体化された状態を板状部材２の表面側から観察した時に、板状部材２以外の構成（例えば、外部フレーム１０の表面など）が表面に露出している領域が意図される。
【００５１】
上記板状部材２の裏面側には、内部フレーム５が配置されている。換言すれば、内部フレーム５の表面側には、板状部材２が配置されている。上記板状部材２および内部フレーム５の配置の詳細に関しては特に限定されない。例えば、内部フレーム５の表面上に板状部材２を配置してもよいし、内部フレーム５の表面と板状部材２の表面とが同一平面になるように、内部フレーム５の表面に、板状部材２を嵌め込むための孔を設けることも可能である。
【００５２】
上記板状部材２は、後述する内部フレーム５の端部と噛み合うことによって、内部フレーム５の表面側に配置されるものであることが好ましい。更に具体的には、板状部材２の端部の形状は、内部フレーム５の端部と噛み合うような多段形状であることが好ましい。上記構成によれば、板状部材２を、より安定して固定することができる。また、上記構成によれば、板状部材２の表面と内部フレーム５の表面とを同一平面に配置することができるので、内部フレーム５の表面側の厚さを、薄くすることができる。
【００５３】
上記内部フレーム５は、一体化された１つの構成からなるものであってもよいし、複数の構成からなるものであってもよい。例えば、図１、図２、図４および図６に示すように、内部フレーム５は、内部フレーム５の側面を形成する側面フレーム６、および、内部フレーム５の裏面を形成する裏面フレーム７からなるものであることが好ましい。内部フレーム５を一体化された１つの構成として形成すれば、各構成の固定化状態を開放した時に、各構成が不必要に分解されることを防止することができる。一方、内部フレーム５を別々の構成として形成すれば、各構成の固定化状態を開放した時に、各構成を十分に分解することができる。したがって、目的に応じた好ましい内部フレーム５を用いればよい。本発明であれば、複数の構成からなる内部フレーム５であっても、各構成を安定に固定することができる。
【００５４】
上記内部フレーム５の形状としては特に限定されない。例えば、内部に様々な構成を備えることが可能な円柱状の箱または四角柱状の箱であることが好ましい。更に具体的には、上記内部フレーム５は、光学パネルを設けるためのフレームであることが好ましい。
【００５５】
上記側面フレーム６および裏面フレーム７の形状としては特に限定されず、組み合わされたときに、上記内部フレーム５の形状となるものであればよい。
【００５６】
上記側面フレーム６の形状としては特に限定されないが、例えば、筒状であることが好ましい。更に具体的には、円柱状の筒、四角柱状の筒などを挙げることができるが、これらに限定されない。
【００５７】
上記裏面フレーム７の大きさおよび形状も特に限定されないが、例えば、上記側面フレーム６の底面側の端部によって担持され得る大きさおよび形状（例えば、円形または四角形など）であることが好ましい。上記構成によれば、複数の構成からなる内部フレーム５を、より安定に固定することができる。
【００５８】
上記側面フレーム６は、内部フレーム５の表面側の形状をも規定し得る。換言すれば、側面フレーム６は、内部フレーム５の表面側にも伸びることが可能であって、内部フレーム５の表面側にまで伸びた側面フレーム６の領域が、内部フレーム５の表面を形成し得る。内部フレーム５の表面側にまで伸びた側面フレーム６の領域の形状および面積は、特に限定されないが、その面積は小さければ小さいほど好ましい。逆に言えば、本発明であれば、内部フレーム５の表面側にまで伸びた側面フレーム６の領域をできるだけ小さくすることができる。そして、その結果、額縁を小さくすることができる。
【００５９】
上記内部フレーム５の表面側にまで伸びた側面フレーム６の領域（換言すれば、フレーム５の表面側）には、板状部材２を嵌め込むための孔が形成されることが好ましい。更に、当該孔の端部は、板状部材２の端部と噛み合うことによって当該板状部材２を内部フレーム５の表面側に配置することが可能な多段形状を有していることが好ましい。上記構成によれば、板状部材２を、より安定に固定化することができる。また、上記構成によれば、板状部材２の表面と内部フレーム５の表面とを同一平面に配置することができるので、本発明の固定機構を備える各種機器の厚さを、薄くすることができる。
【００６０】
上記内部フレーム５には、後述する外部フレーム１０を着脱可能に係止するための突起５０が設けられていることが好ましい。当該突起５０が設けられる位置は特に限定されないが、各構成をより安定に固定するという観点からは、側面フレーム６上（換言すれば、内部フレーム５の表面または側面上）に設けられることが好ましく、内部フレーム５の表面側にまで伸びた側面フレーム６の領域上（換言すれば、内部フレーム５の表面上）に設けられることが更に好ましい。後述する外部フレーム１０には、当該突起５０と重なるように配置される領域に、当該突起５０が挿入される孔５１が設けられる。上述したような突起５０および孔５１を設けることによって、各構成を安定に固定することができるとともに、各構成を容易に分解することが可能となる。
【００６１】
上記外部フレーム１０は、上記板状部材２の外周部の少なくとも一部および内部フレーム５の少なくとも一部を覆うように設けられる。このとき、板状部材２の外周部の少なくとも一部を覆っている外部フレーム１０の領域が、板状部材２を押圧し、これによって、板状部材２を含む各構成が安定に固定されることになる。
【００６２】
上記板状部材２の外周部とは、板状部材２の端部を含む板状部材２の外側の領域を意図しているが、その領域は特に限定されない。本実施の形態の固定機構であれば、狭い面積の外周部であっても、各構成を安定に固定化することができる。
【００６３】
上記外部フレーム１０は、上記外周部の全体を覆うことも可能であるし（換言すれば、板状部材２の外周を一周するように覆うことも可能であるし）、上記外周部の一部を覆うことも可能である。より安定に各構成を固定するという観点からは、上記外部フレーム１０は、上記外周部の全体を覆うことが好ましいといえる。上記外周部の一部を外部フレーム１０によって覆う場合には、板状部材２の中心点に対して対称な位置に存在する外周部の領域を、上記外部フレーム１０によって覆うことが好ましい。上記構成によれば、板状部材２内の対称な領域が押圧されるので、板状部材２を安定に固定することができる。
【００６４】
上記外部フレーム１０の具体的な形状としては特に限定されないが、例えば、内部フレーム５の表面および側面に沿って配置され得る板状であることが好ましい。上記構成によれば、各構成をより安定に固定することができる。なお、外部フレーム１０を板状に形成する場合には、内部フレーム５の側面全体を覆うように外部フレーム１０を形成することも可能であるし、内部フレーム５の側面のうちの特定の面のみを覆うように外部フレーム１０を形成することも可能であるが、本発明は、当該構成に限定されない。
【００６５】
本実施の形態の固定機構では、弾性を備えた固定部材１が外部フレーム１０に連結される。そして、そして、当該固定部材１によって、内部フレーム５の裏面側へ向かう力を外部フレーム１０に対して付与したまま、固定部材１が、板状部材２が配置される側とは反対側である内部フレーム５の裏面（例えば、裏面フレーム７など）に固定される。これによって、固定部材１、板状部材２、内部フレーム５および外部フレーム１０が一体化して固定される。
【００６６】
上記固定部材１は、内部フレーム５の裏面に対して固定される固定部１５と、上記外部フレームに対して係止される係止部１６と、固定部材１に対して弾性力を付与する弾性部１７と、を備えている。以下に、各構成について説明する。
【００６７】
上記固定部１５は、内部フレーム５の裏面に対して固定される、これによって、固定部材１が、内部フレーム５の裏面に固定される。
【００６８】
上記固定部１５の具体的な構成としては特に限定されず、適宜公知の構成を用いることが可能である。
【００６９】
例えば、上記固定部１５は、板状の部材に設けられたネジ穴（図１、４および５参照）、裏面フレーム７に対して係止され得る線状の部材（図２および３参照）、または、線状の部材に設けられたネジ穴（図６および７参照）であってもよいが、当該構成に限定されない。内部フレーム５内の空間に配置される様々な構成の配置の自由度を考慮した場合には、固定部１５は、裏面フレーム７に対して係止され得る線状の部材であることが好ましいといえる。上記構成であれば、内部フレーム５の裏面にネジ穴などを設ける必要が無いとともに、当該ネジ穴を介して内部フレーム５内にネジが挿入されることがないので、内部フレーム５内の空間を広くすることができる。そして、その結果、内部フレーム５内の空間に配置される様々な構成の配置の自由度を上げることができる。
【００７０】
固定部１５として板状の部材に設けたネジ穴を用いる場合には、図４および５に示すように、ネジ穴を設ける板状の部材中にスリットを設けることが好ましい。なお、上記スリットの形状は特に限定されないが、例えば、凹形状であることが好ましい。上記スリットを設けることによって、内部フレーム５と固定部１５との間に隙間が生じることを防ぐことができ、その結果、内部フレーム５の裏面に固定部１５を強固に固定することができる。
【００７１】
固定部１５として裏面フレーム７に対して係止され得る線状の部材を用いる場合には、図３に示すように、裏面フレーム７（換言すれば、内部フレーム５の裏面）に、上記線状の部材が係止するための突起５２が設けられることが好ましく、この場合には、当該突起５２には係止された線状の部材を更に強固に固定するためのネジ穴３７が設けられていてもよい。突起５２を設けることによって、固定部１５を内部フレーム５に対して強固に固定することができる。また、図３に示すように、ネジ穴３７のネジ３６を挿入することによって、裏面フレーム７に係止されている固定部１５を更に強固に固定することができる。
【００７２】
上記係止部１６は、外部フレーム１０に対して着脱可能に係止される。
【００７３】
上記係止部１６は、外部フレーム１０に対して着脱可能に係止できるものであればよく、その具体的な構成は特に限定されない。
【００７４】
例えば、係止部１６は、突起状部材であることが好ましい。そして、この場合、外部フレーム１０には、上記突起状部材を挿入して係止するための孔が設けられていることが好ましい。
【００７５】
上記突起状部材の形状および大きさとしては特に限定されず、適宜所望の形状および大きさであり得る。
【００７６】
例えば、図１に示すように、係止部１６は、固定部１５が設けられた板状の部材に連結された板状の突起状部材であることが好ましい。そして、この場合には、外部フレーム１０には、係止部１６を係止できる形状および大きさを有する孔５３が設けられている。上記孔５３の形状および大きさは特に限定されず、上記係止部１６の大きさおよび形状に合わせて、所望の形状および大きさに形成することが可能である。係止部１６を係止するための孔５３が設けられる外部フレーム１０内の位置は特に限定されないが、例えば、図１に示すように、外部フレーム１０の側面であることが好ましく、裏面フレーム７と外部フレーム１０とが接する箇所または当該箇所の近傍であることが更に好ましい。上記構成によれば、簡便な形状の係止部１６を、外部フレーム１０に係止させることができる。
【００７７】
また、例えば、図２、３、６および７に示すように、係止部１６は、固定部１５に連結された線状の突起状部材であってもよい。そして、この場合には、外部フレーム１０には、当該線状の突起状部材を着脱可能に係止できる形状および大きさを有する孔５３が設けられている。上記孔５３の形状および大きさは特に限定されず、上記係止部１６の大きさおよび形状に合わせて、所望の形状および大きさに形成することが可能である。係止部１６を係止するための孔５３が設けられる外部フレーム１０内の位置は特に限定されないが、例えば、図２および３に示すように、上記孔５３は、外部フレーム１０の側面に設けられることが好ましい。また、図６および７に示すように、上記孔５３は、外部フレーム１０の側面端部であって、裏面フレーム７側に配置される端部に設けられることが好ましい。上記構成によれば、フレーム１０に対して、内部フレーム５の裏面側へ向かう力を容易に付与することができる。
【００７８】
上記係止部１６は、上述したような突起状部材以外の構成であってもよい。例えば、係止部１６は孔であってもよい。そして、この場合、外部フレーム１０には、上記孔に挿入するための突起状部材が備えられることが好ましい。
【００７９】
上記突起状部材および孔の形状および大きさとしては特に限定されず、適宜所望の形状および大きさであり得る。
【００８０】
また、上記突起状部材および孔が設けられる位置も特に限定されず、適宜所望の位置に設けることができる。例えば、図４に示すように、上記突起状部材は、外部フレーム１０の表面側に設けられることが好ましい。そして、この場合には、上記孔は、当該突起状部材と重なるように配置される外部フレーム１０内の領域に設けられることになる。上記構成によれば、フレーム１０に対して、内部フレーム５の裏面側へ向かう力を容易に付与することができる。
【００８１】
次いで、弾性部１７について説明する。
【００８２】
上記弾性部１７は、固定部材１に対して弾性を付与するための構成である。そして、当該弾性部１７によって生み出される弾性によって、固定部材１は、外部フレーム１０に対して、内部フレーム５の裏面側へ向かう力を付与することができる。
【００８３】
勿論、固定部材１を弾性が高い素材を用いて形成することによって、固定部材１に対して弾性を付与することも可能である。この場合には、例えば、固定部材１の全体または一部が、弾性部１７として機能することになる。弾性が高い素材としては特に限定されないが、例えば、金属、樹脂またはゴムなどを用いることが好ましい。
【００８４】
上記弾性部１７の具体的な構成は特に限定されないが、例えば、バネであることが好ましい。バネの具体的な構成としては特に限定されないが、例えば、板状のバネ部材、または、線状のバネ部材であることが好ましい。上記構成によれば、簡便な構成にて弾性部１７を形成することができる。以下に、好ましいバネの一例を示すが、本願は、これに限定されない。
【００８５】
例えば、図１に示す構成では、弾性部１７は、板状のバネ部材である。
【００８６】
上記弾性部１７は、板状の第１領域と、当該第１領域に連結した板状の第２領域とを含むとともに、内部フレーム５の裏面側に配置されるものである。更に具体的には、上記第１領域は、固定部１５が設けられた板状の部材１８に対応し、上記第２領域は、係止部１６に対応する。上記第１領域は、固定部材１が内部フレーム５の裏面側に固定されたときに、内部フレーム５の裏面に沿って配置される。上記第２領域は、固定部材１が内部フレーム５の裏面側に固定されたときに、内部フレーム５の裏面から離れる方向に向かって折れ曲がるように、上記第１領域に対して連結されている。そして、当該折れ曲がった形状を維持しようとする力を、弾性部１７の弾性として利用することができる。つまり、本実施の形態では、固定部材１の折れ曲がった構造自体が、弾性部１７として機能する。
【００８７】
また、図６および図７に示す構成では、弾性部１７は、線状のバネ部材である。
【００８８】
上記弾性部１７は、線状の第１領域と、当該第１領域に連結した線状の第２領域とを含むとともに、内部フレーム５の裏面側に配置されるものである。更に具体的には、上記第１領域は、図６の領域２０を形成する線状の部材に対応し、上記第２領域は、領域２１を形成する線状の部材に対応する。上記第１領域は、固定部材１が内部フレーム５の裏面側に固定されたときに、内部フレーム５の裏面に沿って配置される。上記第２領域は、固定部材１が内部フレーム５の裏面側に固定されたときに、内部フレーム５の裏面から離れる方向に向かって折れ曲がるように、上記第１領域に対して連結されている。そして、当該折れ曲がった形状を維持しようとする力を、弾性部１７の弾性として利用することができる。なお、上記領域２０の形状は特に限定されないが、平面状に近いほど好ましいといえる。また、外部フレーム１０に対して均等に力を加えるという観点からは、弾性部１７は、例えば、対象に配置された複数本（例えば、２本）のバネを備えていることが好ましいといえる。
【００８９】
また、図２および図３に示す構成では、弾性部１７は、線状のバネ部材である。
【００９０】
上記弾性部１７は、複数の線状の部材２２が、折れ曲がるように互いに連結されたものであるとともに、外部フレーム１０の側面に配置されるものである。そして、このとき、係止部１６は、外部フレーム１０の側面において外部フレーム１０と係止している。上記線状の部材２２の数としては特に限定されず、適宜所望の数だけ備えることが可能である。上記線状の部材２２の各々の配置は特に限定されないが、全ての線状の部材２２が、外部フレーム１０の側面に平行な面内に配置されることが好ましい。上記構成によれば、線状の部材２２が外部フレーム１０の側面上に大きく突出することを防ぐことができるので、よりコンパクトな固定機構を実現することができる。また、外部フレーム１０に対して均等に力を加えるという観点からは、弾性部１７は、例えば、対象に配置された複数本（例えば、２本）のバネを備えていることが好ましいといえる。
【００９１】
また、図４及び図５に示す構成では、弾性部１７は、板状のバネ部材である。
【００９２】
上記弾性部１７は、内部フレーム５の裏面側から、上記内部フレームの表面側へ達するように配置される板状部材である。そして、係止部１６は、内部フレーム５の表面側にて外部フレーム１０に係止している。当該係止を実現するための具体的な構成は特に限定されないが、例えば、外部フレーム１０に設けられた突起状部材を固定部材１に設けられた孔に係止させることによって実現することが可能である。この場合、固定部材１が独自の形状を有することによって、固定部材１全体が弾性部１７として機能している。弾性部１７の弾性をより大きなものにするという観点からは、弾性が高い素材（例えば、金属、樹脂またはゴムにて弾性部１７（換言すれば、固定部材１）を形成することが好ましいといえる。
【００９３】
また、図４の左上図に示すように、内部フレーム５の裏面に沿って配置される固定部材１の領域は、固定部材１が内部フレーム５の裏面側に固定されたときに、内部フレーム５の裏面から離れる方向に向かって折れ曲がる領域を含んでいることが好ましい。そして、当該領域は、内部フレーム５の裏面に沿って配置される固定部材１の領域中でも、固定部材１の側面に近い領域（より好ましくは、側面と直接連結している領域）であることが好ましい。上記構成によれば、内部フレーム５の裏面に沿って配置される固定部材１の領域によって、より大きな弾性を生み出すことが可能となり、当該内部フレーム５の裏面に沿って配置される固定部材１の領域を、主要な弾性部１７とみなすことが可能となる。
【００９４】
図１〜７に記載の弾性部１７は、本願に用いることができる弾性部１７の一例を示したのみであって、本願は、これらに限定されない。例えば、図１〜図７の各図面に記載されている各バネを組み合わせて弾性部１７を形成することも可能であるし、図１〜図７の各図面に記載されている各バネの一部分同士を組み合わせて弾性部１７を形成することも可能である。
【００９５】
〔２〕光学機器
以下に、本実施の形態の光学機器に関して説明するが、既に説明した構成に関する説明は省略する。
【００９６】
本実施の形態の光学機器は、上述した本発明の固定機構を備えている。
【００９７】
上記光学機器の具体例としては特に限定されないが、例えば、大型テレビ、監視用モニタ、広告表示ディスプレイ、特に複数のディスプレイを並べるマルチディスプレイを挙げることができる。本発明であれば、これら光学機器の額縁を小さくすることができるとともに、内部に配置される様々な構成の配置の自由度を上げることができる。
【００９８】
以下に、本発明の光学機器の実施の一形態として、これらの機器を構成するバックライト付き液晶モジュールに関して説明するが、本発明は、これに限定されない。
【００９９】
本実施の形態のバックライト付き液晶モジュール３０は、図８に示すように、前フレーム３１（外部フレーム１０に対応）、液晶ガラス３２（板状部材２に対応）、側面フレーム６、バックライト管３３、管固定フレーム３４、および、後シャーシ３５（裏面フレーム７に対応）を備えている。
【０１００】
上記液晶モジュール３０の裏面側には、複数の板状の固定部材１が設けられる。そして、固定部材１を前フレーム３１に設けた孔に係止させるとともに、ネジ３６によって、当該固定部材１を後シャーシ３５に対して固定することによって、各構成が安定に固定される。
【０１０１】
上記固定部材１としては板状に細かく断片化されたものを一例として図示したが、固定部材１の形状は、これに限定されない。例えば、固定部材１の形状としては、個々が細かく断片化された形状のものであってもよく、後シャーシ３５の一辺を覆うように一体化された形状（例えば、直線状など）のものであってもよく、後シャーシ３５の裏面の外周を一周するように一体化された形状（例えば、円形状、四角形状など）のものであってもよい。
【０１０２】
上記後シャーシ３５上における固定部材１の固定位置は特に限定されないが、例えば、後シャーシ３５の裏面上に対称配置されることが好ましい。上記構成によれば、液晶モジュール３０に対して偏った力が加えられることがないので、各構成をより安定に固定することができる。
【０１０３】
また、上述したように固定部材１が一体化されている場合には、固定部材１を係止するために前フレーム３１に設けられる孔の配置を対称配置にすればよい。上記構成によれば、液晶モジュール３０に対して偏った力が加えられることがないので、各構成をより安定に固定することができる。
【０１０４】
〔３〕固定方法
以下に、本実施の形態の固定方法に関して説明するが、既に説明した構成に関する説明は省略する。
【０１０５】
本実施の形態の固定方法は、板状部材２と、板状部材２の裏面側に配置される内部フレーム５と、板状部材２の外周部の少なくとも一部および内部フレーム５の少なくとも一部を覆うように設けられる外部フレーム１０とを、固定部材１を用いて固定する方法である。
【０１０６】
本実施の形態の固定方法は、外部フレーム１０と、弾性を備えている固定部材１とを連結する工程を有している。これによって、固定部材１によって、外部フレーム１０に対して力を付与することができる。
【０１０７】
本実施の形態の固定方法は、外部フレーム１０に対して、板状部材２が配置される側とは反対側である内部フレーム５の裏面側へ向かう力を付与したまま、固定部材１を内部フレーム５の裏面側に固定する工程を有している。これによって、外部フレーム１０に対して力を付与した状態で、外部フレーム１０と固定部材１とを固定することができる。
【０１０８】
固定部材１、板状部材２、内部フレーム５および外部フレーム１０は上述したような配置関係にあるので、上記２つの工程によって、各構成が安定に固定化されるとともに、額縁を小さくすることができる。
【０１０９】
上記連結する工程の具体的な構成は特に限定されないが、例えば、固定部材１を外部フレーム１０に対して着脱可能に係止させる工程であることが好ましい。
【０１１０】
本発明は上述した各実施形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１１１】
本発明は、大型テレビ、監視用モニタ、広告表示ディスプレイ、特に複数のディスプレイを並べるマルチディスプレイなどに利用することができる。
【符号の説明】
【０１１２】
１  固定部材（固定手段）
２  板状部材
５  内部フレーム
６  側面フレーム
７  裏面フレーム
１０  外部フレーム
１５  固定部
１６  係止部
１７  弾性部
１８  板状の部材
２０・２１  領域
２２  線状の部材
３０  液晶モジュール
３１  前フレーム
３２  液晶ガラス
３３  バックライト管
３４  管固定フレーム
３５  後シャーシ
３６  ネジ
３７  ネジ穴
５０・５２  突起
５１・５３  孔
【図１】
2011112790.tif 000003
【図２】
2011112790.tif 000004
【図３】
2011112790.tif 000005
【図４】
2011112790.tif 000006
【図５】
2011112790.tif 000007
【図６】
2011112790.tif 000008
【図７】
2011112790.tif 000009
【図８】
2011112790.tif 000010